(57)【要約】  情報選択装置は、被検者の心臓の拍動周期を入力可能な拍動入力部と、前記被検者の呼吸周期を入力可能な呼吸入力部と、異なる時刻での前記心臓の内壁面情報を入力可能な情報入力部と、入力された複数の内壁面情報のうち、前記拍動周期に含まれる所定拍動位相範囲と前記呼吸周期に含まれる所定呼吸位相範囲とが重なるタイミングで入力された内壁面情報を、選択情報として選択する制御部と、を備える。
2019189519.tif 000002
【特許請求の範囲】
【請求項１】
被検者の心臓の拍動周期を入力可能な拍動入力部と、
前記被検者の呼吸周期を入力可能な呼吸入力部と、
異なる時刻での前記心臓の内壁面情報を入力可能な情報入力部と、
入力された複数の内壁面情報のうち、前記拍動周期に含まれる所定拍動位相範囲と、前記呼吸周期に含まれる所定呼吸位相範囲と、が重なるタイミングで入力された内壁面情報を、選択情報として選択する制御部と、を備える情報選択装置。
【請求項２】
前記所定拍動位相範囲は、前記拍動周期のピークを含む、請求項１に記載の情報選択装置。
【請求項３】
前記所定呼吸位相範囲は、前記呼吸周期のピークを含む、請求項１又は２に記載の情報選択装置。
【請求項４】
前記制御部は、複数の前記選択情報に基づいて前記心臓の３次元画像を生成する、請求項１から３のいずれか一項に記載の情報選択装置。
【請求項５】
前記制御部は、前記複数の内壁面情報のうち、前記所定拍動位相範囲を１つとする複数の拍動位相範囲それぞれと、前記所定呼吸位相範囲を１つとする複数の呼吸位相範囲それぞれと、が重なるタイミングで入力された内壁面情報を、組み合わせ毎でグループに分類する、請求項１から４のいずれか一項に記載の情報選択装置。
【請求項６】
前記制御部は、同一の前記グループに分類された複数の内壁面情報に基づいて、前記心臓の３次元画像を生成する、請求項５に記載の情報選択装置。
【請求項７】
表示部を更に備え、
前記制御部は、前記情報入力部に内壁面情報が入力されるたびに、当該内壁面情報が分類されたグループに属する複数の内壁面情報に基づいて前記心臓の３次元画像を生成し、当該３次元画像を前記表示部に表示させる、請求項６に記載の情報選択装置。
【請求項８】
表示部を更に備え、
前記制御部は、予め選択されたグループに属する内壁面情報が前記情報入力部に入力されるたびに、前記予め選択されたグループに属する複数の情報に基づいて前記心臓の３次元画像を生成し、当該３次元画像を前記表示部に表示させる、請求項６に記載の情報選択装置。
【請求項９】
被検者の心臓の拍動周期を入力可能な拍動入力部と、
前記被検者の呼吸周期を入力可能な呼吸入力部と、
異なる時刻での前記心臓の内壁面情報を入力可能な情報入力部と、を備え、
前記情報入力部は、前記拍動周期に含まれる所定拍動位相範囲と、前記呼吸周期に含まれる所定呼吸位相範囲と、が重なるタイミングでの内壁面情報のみの入力を受け付ける、情報選択装置。
【請求項１０】
前記情報入力部は、前記心臓内に挿入されている筒状部材の内部に位置する超音波振動子又は撮像素子によって取得される内壁面情報の入力を受け付け、
前記超音波振動子又は前記撮像素子を前記筒状部材の内部で移動させる駆動部を更に備える、請求項１から９のいずれか一項に記載の情報選択装置。
【請求項１１】
前記情報入力部は、前記超音波素子を備え、
前記超音波素子は、超音波を前記心臓の内壁面に照射し、当該心臓の内壁面から反射する超音波に基づいて当該心臓の内壁面情報を取得可能である、請求項１０に記載の情報選択装置。
【請求項１２】
前記駆動部はシャフトの基端部と連結し、
前記超音波素子は当該シャフトの先端部に固定され、
前記駆動部は、前記シャフトを介して前記超音波素子を移動させる、請求項１１に記載の情報選択装置。
【発明の詳細な説明】
【技術分野】
【０００１】
本開示は、情報選択装置に関する。
【背景技術】
【０００２】
従来より、医療器具を心臓内に挿入し、心臓を治療することが行われている。例えば特許文献１には、心臓や血管等の３次元画像を生成する技術が開示されている。このように生成した心臓の３次元画像を利用することで、心臓内の様子を把握することができる。
【先行技術文献】
【特許文献】
【０００３】
【特許文献１】国際公開第２０１６／１４０１１６号
【発明の概要】
【発明が解決しようとする課題】
【０００４】
ところで、心臓は、拍動等の影響によって、その大きさや形を経時的に変化させる。従って、経時的に取得した情報に基づき心臓のマッピングを行う際には、心臓の大きさや形の経時的な変化を加味することが求められる。特許文献１に開示された技術によると、心臓の拍動の影響を低減させた３次元画像を生成することができるが、心臓の大きさや形の経時的な変化を加味した心臓のマッピングについては依然として改善の余地があった。【０００５】
本開示の目的は、上記問題に鑑み、心臓の大きさや形の経時的な変化を加味した心臓のマッピングの精度を向上可能な情報選択装置を提供することである。
【課題を解決するための手段】
【０００６】
本発明の第１の態様としての情報選択装置は、被検者の心臓の拍動周期を入力可能な拍動入力部と、前記被検者の呼吸周期を入力可能な呼吸入力部と、異なる時刻での前記心臓の内壁面情報を入力可能な情報入力部と、入力された複数の内壁面情報のうち前記拍動周期に含まれる所定拍動位相範囲と前記呼吸周期に含まれる所定呼吸位相範囲とが重なるタイミングで入力された内壁面情報を選択情報として選択する制御部と、を備える。【０００７】
本発明の一実施形態としての情報選択装置は、前記所定拍動位相範囲が、前記拍動周期のピークを含む。【０００８】
本発明の一実施形態としての情報選択装置は、前記所定呼吸位相範囲が、前記呼吸周期のピークを含む。【０００９】
本発明の一実施形態としての情報選択装置は、前記制御部が、複数の前記選択情報に基づいて前記心臓の３次元画像を生成する。【００１０】
本発明の一実施形態としての情報選択装置は、前記制御部が、前記複数の内壁面情報のうち、前記所定拍動位相範囲を１つとする複数の拍動位相範囲それぞれと、前記所定呼吸位相範囲を１つとする複数の呼吸位相範囲それぞれと、が重なるタイミングで入力された内壁面情報を、組み合わせ毎でグループに分類する。【００１１】
本発明の一実施形態としての情報選択装置は、前記制御部が、同一の前記グループに分類された複数の内壁面情報に基づいて、前記心臓の３次元画像を生成する。【００１２】
本発明の一実施形態としての情報選択装置は、表示部を更に備え、前記制御部が、前記情報入力部に内壁面情報が入力されるたびに、当該内壁面情報が分類されたグループに属する複数の内壁面情報に基づいて前記心臓の３次元画像を生成し、当該３次元画像を前記表示部に表示させる。【００１３】
本発明の一実施形態としての情報選択装置は、表示部を更に備え、前記制御部が、予め選択されたグループに属する内壁面情報が前記情報入力部に入力されるたびに、前記予め選択されたグループに属する複数の情報に基づいて前記心臓の３次元画像を生成し、当該３次元画像を前記表示部に表示させる。【００１４】
本発明の第２の態様としての情報選択装置は、被検者の心臓の拍動周期を入力可能な拍動入力部と、前記被検者の呼吸周期を入力可能な呼吸入力部と、異なる時刻での前記心臓の内壁面情報を入力可能な情報入力部と、を備え、前記情報入力部は、前記拍動周期に含まれる所定拍動位相範囲と、前記呼吸周期に含まれる所定呼吸位相範囲と、が重なるタイミングでの内壁面情報のみの入力を受け付ける。【００１５】
本発明の一実施形態としての情報選択装置は、前記情報入力部が、前記心臓内に挿入されている筒状部材の内部に位置する超音波振動子又は撮像素子によって取得される内壁面情報の入力を受け付け、前記超音波振動子又は前記撮像素子を前記筒状部材の内部で移動させる駆動部を更に備える。【００１６】
本発明の一実施形態としての情報選択装置は、前記情報入力部が、前記超音波素子を備え、前記超音波素子が、超音波を前記心臓の内壁面に照射し、当該心臓の内壁面から反射する超音波に基づいて当該心臓の内壁面情報を取得可能である。【００１７】
本発明の一実施形態としての情報選択装置は、前記駆動部がシャフトの基端部と連結し、前記超音波素子が当該シャフトの先端部に固定され、前記駆動部が、前記シャフトを介して前記超音波素子を移動させる。
【発明の効果】
【００１８】
本開示の情報選択装置によると、心臓の大きさや形の経時的な変化を加味した心臓のマッピングの精度を向上させることができる。
【図面の簡単な説明】
【００１９】
【図１】本発明の一実施形態としての画像処理装置の概略構成を示すブロック図である。
【図２】図１に示す画像処理装置の概略図である。
【図３】超音波素子が挿入された医療デバイスの一例を示す斜視図である。
【図４】図３に示す医療デバイスの断面図である。
【図５】心臓の３次元画像の生成方法の詳細を示すフローチャートである。
【図６】（ａ）動脈パルスの強度及び（ｂ）心臓の電気的な活動に起因する電位の強度の時間変化を示すグラフである。
【図７】図６（ａ）又は図６（ｂ）に示すグラフを時間軸に沿って圧縮したグラフである。
【図８】超音波素子を用いて得られる心臓の内壁面情報の分布を示す図である。
【図９】心臓の内壁面情報から選択情報を選択する様子を示す図である。
【図１０】選択情報の分布を示す図である。
【図１１】補完処理された心臓の内壁面情報の分布を示す図である。
【図１２】心臓の３次元画像の生成方法の変形例を示すフローチャートである。
【図１３】拍動位相範囲を説明する図である。
【図１４】呼吸位相範囲を説明する図である。
【図１５】拍動周期に含まれる所定拍動位相範囲と、呼吸周期に含まれる所定呼吸位相範囲と、が重なるタイミングを示す図である。
【発明を実施するための形態】
【００２０】
以下、本発明の一実施形態について、図面を参照して説明する。各図において共通の構成部には、同一の符号を付している。また、本明細書では、医療デバイス２の生体管腔に挿入する側を「遠位側」又は「先端側」、操作する手元側を「近位側」又は「基端側」と称することとする。本実施形態では、本発明に係る情報選択装置の一実施形態としての画像処理装置１について説明する。
【００２１】
［画像処理装置１］
図１は、本発明の一実施形態としての画像処理装置１の概略構成を示すブロック図である。図２は、画像処理装置１の概略図である。図１及び図２に示すように、画像処理装置１は、駆動部５０と、表示部５１と、操作受付部５２と、記憶部５３と、制御部５４と、拍動入力部６０と、呼吸入力部７０と、情報入力部７６と、を備える。
【００２２】
図１に示すように、拍動入力部６０は、外部の拍動計測デバイス１６０と電気的に接続されている。呼吸入力部７０は、外部の呼吸計測デバイス１７０と電気的に接続されている。情報入力部７６は、外部の超音波検査器２０の超音波素子２１と電気的に接続されている。超音波検査器２０は、超音波素子２１と、シャフト２２と、チューブ２３と、を備える。
【００２３】
駆動部５０は、モータを内蔵し、超音波検査器２０のシャフト２２を介して、周囲情報取得デバイスとしての超音波素子２１を後述するカテーテル４０の延在方向に沿って往復移動させる。具体的に、駆動部５０は、図２に示すように、超音波検査器２０を固定し、台座５９に載置される。駆動部５０は、台座５９に対して超音波検査器２０の延在方向（すなわち、後述するカテーテル４０の延在方向）に沿って往復移動可能である。よって、駆動部５０は、駆動部５０自体が超音波検査器２０の延在方向に沿って往復移動することで、超音波素子２１をカテーテル４０の延在方向に沿って往復移動させることができる。さらに、駆動部５０は、超音波素子２１を往復移動させつつ、カテーテル４０の周方向に沿って回転させてもよい。この場合、駆動部５０は、超音波素子２１を一方の向きに連続的に回転させてもよいし、回転の向きを繰り返し入れ替えながら揺動させてもよい。
【００２４】
表示部５１は、制御部５４により生成された表示情報を表示出力する。表示部５１は、例えば液晶ディスプレイ又は有機ＥＬディスプレイなどの表示デバイスを含む。
【００２５】
操作受付部５２は、操作者による情報又は指示の入力を受け付けて、受け付けた入力情報又は入力指示を制御部５４に出力する。操作受付部５２は、例えばキーボード、マウス、又はタッチパネルなどの入力デバイスを含む。操作受付部５２がタッチパネルを含む場合、タッチパネルは表示部５１と一体に設けられていてもよい。
【００２６】
記憶部５３は、制御部５４に特定の機能を実行させるための種々の情報及びプログラムを記憶する。また、記憶部５３は、制御部５４により生成された被検者の心臓の３次元画像を記憶する。記憶部５３は、例えばＲＡＭ又はＲＯＭなどの記憶装置を含む。
【００２７】
制御部５４は、画像処理装置１を構成する各構成部の動作を制御する。制御部５４は、特定のプログラムを読み込むことにより特定の機能を実行する。制御部５４は、例えばプロセッサを含む。
【００２８】
拍動入力部６０は、拍動計測デバイス１６０が計測した被検者の心臓の拍動周期の入力を受け付ける。換言すれば、拍動計測デバイス１６０は、被検者の心臓の拍動周期を計測し、計測した拍動周期の情報を拍動入力部６０に送信する。拍動計測デバイス１６０は、例えば被検者の心電図波形を取得する心電計、又は被検者の動脈パルスを取得する動脈パルス測定器で構成される。
【００２９】
呼吸入力部７０は、呼吸計測デバイス１７０が計測した被検者の呼吸周期の入力を受け付ける。換言すれば、呼吸計測デバイス１７０は、被検者の呼吸周期を計測し、計測した呼吸周期の情報を呼吸入力部７０に送信する。呼吸計測デバイス１７０は、例えば拍動計測デバイス１６０と共通の心電計又は動脈パルス測定器で構成される。呼吸計測デバイス１７０を拍動計測デバイス１６０と共通の心電計又は動脈パルス測定器で構成した場合の呼吸周期の計測手法については、後述する。
【００３０】
情報入力部７６は、周囲情報取得デバイスとしての超音波素子２１から、心臓の内壁面の情報（以下、単に「内壁面情報」と称する。）の入力を受け付ける。具体的に、情報入力部７６は、シャフト２２内に延在する信号線を介して超音波素子２１と電気的に接続されており、超音波素子２１が取得する内壁面情報に関する信号を取得し、当該信号を制御部５４に送信する。
【００３１】
超音波素子２１は、例えば超音波検査器２０の遠位端に位置し、超音波を送受信する。超音波素子２１は、心臓の内部に位置する場合、超音波を心臓の内壁面に照射し、当該内壁面から反射する超音波に基づいて内壁面情報を取得可能である。シャフト２２は、先端部で超音波素子２１を固定し、基端部で駆動部５０と連結した可撓性を有する線状部材である。チューブ２３は、シャフト２２の周方向を覆う可撓性を有する筒状部材である。超音波素子２１は、例えば、後述する医療デバイス２のカテーテル４０に挿入されて使用される。超音波検査器２０、及び、後述する医療デバイス２は、合わせて１つの超音波カテーテルを構成してもよい。
【００３２】
［医療デバイス２］
図３は、超音波素子２１が挿入された医療デバイス２の一例を示す斜視図である。図４は、医療デバイス２の断面図である。
【００３３】
図３及び図４に示すように、医療デバイス２は、ガイドワイヤ１０と、電極３０ａ〜３０ｊと、筒状部材としてのカテーテル４０とを備えている。カテーテル４０は、超音波検査器２０を内挿可能な第１ルーメン４１と、ガイドワイヤ１０を内挿可能な第２ルーメン４２とを内部に区画している。図３〜図５では、超音波検査器２０が第１ルーメン４１に内挿され、ガイドワイヤ１０が第２ルーメン４２に内挿された状態を示す。以下、特に断らない限り、超音波検査器２０及びガイドワイヤ１０が、それぞれ第１ルーメン４１及び第２ルーメン４２に内挿された状態であるとして説明する。なお、医療デバイス２は、ガイドワイヤ１０を必ずしも備えなくてもよい。
【００３４】
ガイドワイヤ１０は、近位側から遠位側に延在する。ガイドワイヤ１０は、直線状部１１と、直線状部１１と連結する遠位側の端部に設けられた環状拡張部１２とを有する。環状拡張部１２は、例えば形状記憶合金などの金属で構成されており、一定以下の外力が作用する環境では、環状に拡張するように形状記憶されている。
【００３５】
図３に示す状態では、環状拡張部１２は第２ルーメン４２の遠位端よりも遠位側に位置し、環状に拡張している。環状拡張部１２は、ガイドワイヤ１０の直線状部１１の径方向Ａ外側に向かって拡張し、ガイドワイヤ１０の直線状部１１の周方向Ｂに沿って延在している。環状拡張部１２は、環状に拡張した状態では、カテーテル４０の外径よりも大きい。また、図３に示すように、ガイドワイヤ１０の先端側から見た場合に、カテーテル４０の外径よりも大きい環状に拡張した環状拡張部１２の環状内部に、ガイドワイヤ１０の直線状部１１とカテーテル４０とが位置している。以下、環状拡張部１２が環状に拡張した状態であっても、ガイドワイヤ１０の直線状部１１の径方向を単に「径方向Ａ」と記載し、ガイドワイヤ１０の直線状部１１の周方向を単に「周方向Ｂ」と記載する。また、以下、特に断らない限り、環状拡張部１２は環状に拡張した状態であるとして説明する。
【００３６】
電極３０ａ〜３０ｊは、環状拡張部１２に固定され、環状拡張部１２の延在方向、すなわち、ガイドワイヤ１０の周方向Ｂに沿って、それぞれ異なる位置に固定されている。以下、電極３０ａ〜３０ｊを区別しない場合には、まとめて電極３０と記載する。
【００３７】
電極３０は、生体管腔の内壁に接触させることで、その生体管腔の内壁の電気的特性を検出可能である。電気的特性としては、例えば、電極３０と、生体の他の部位に接触した他の電極との間の電位差等を用いることができる。電極３０は、環状拡張部１２の遠位端１３から露出するように配置されており、環状拡張部１２の遠位端１３を生体管腔の内壁に押し当てることで、生体管腔の内壁に接触させることができる。
【００３８】
図３及び図４に示すように、超音波検査器２０の中心軸Ｏは、カテーテル４０の延在方向に沿って延在している。超音波素子２１は、径方向に沿って超音波を送受信することで、中心軸Ｏの周りの内壁面情報を取得する。換言すれば、超音波素子２１は、カテーテル４０の延在方向に直交する平面に沿う、カテーテル４０の周囲の情報（以下、「周囲情報」と記載する。）を取得する。詳細には、超音波素子２１は、超音波発信部と超音波受信部とを有し、超音波発信部によって超音波を径方向に沿って発信し、反射した超音波を超音波受信部によって受信して信号処理することで、情報に関する信号を取得する。超音波素子２１は、生体管腔内に挿入された状態では、生体管腔から反射される超音波を受信することで、内壁面情報を取得可能である。
【００３９】
図４に示すように、シャフト２２は、中心軸Ｏに沿う遠位端で超音波素子２１を固定している。シャフト２２は、中心軸Ｏを中心としてカテーテル４０の周方向に沿って回転可能である。超音波素子２１は、シャフト２２の回転に連動して中心軸Ｏの周りを回転することで、中心軸Ｏの周りの周囲情報を取得可能である。また、シャフト２２は、中心軸Ｏすなわちカテーテル４０の延在方向に沿って移動可能である。超音波素子２１は、シャフト２２の中心軸Ｏに沿った移動に連動して中心軸Ｏに沿って移動することで、中心軸Ｏに沿って周囲情報を取得可能である。シャフト２２が中心軸Ｏに沿って移動するとき、チューブ２３もシャフト２２の移動に連動して移動する。シャフト２２の外径は、超音波素子２１の外径よりも小さい。
【００４０】
図４に示すように、チューブ２３は、シャフト２２の周方向を覆う可撓性を有する筒状部材である。チューブ２３は、シャフト２２と密着しているため、シャフト２２の回転及び移動を阻害することなく、カテーテル４０に対して延在方向にスライド可能である。また、超音波検査器２０の基端側の手元の押し込み力を超音波検査器２０の先端側に伝えやすくするために、チューブ２３の基端部はチューブ２３の先端部よりも硬い。
【００４１】
図３及び図４に示すように、カテーテル４０は、遠位側の端部である先端部４５と、近位側の端部である図示しない基端部とを有し、第２ルーメン４２が先端部４５にのみ区画された、ラピッドエクスチェンジ（ＲＸ）タイプのカテーテルである。カテーテル４０は、ＲＸタイプのカテーテルには限定されず、他の形状のカテーテル、例えば、オーバーザワイヤー（ＯＴＷ）タイプでのカテーテルであってもよい。
【００４２】
［心臓の３次元画像の生成方法］
図５は、心臓の３次元画像の生成方法の詳細を示すフローチャートである。図６（ａ）は、動脈パルス測定器により測定される動脈パルスの強度の時間変化を示すグラフである。図６（ｂ）は、心電計により測定される心臓の電気的な活動に起因する電位の強度の時間変化を示すグラフである。図７は、図６（ａ）に示すグラフ又は図６（ｂ）に示すグラフを時間軸に沿って圧縮したグラフである。
【００４３】
図５に示すように、画像処理装置１は、情報入力部７６を介して、周囲情報取得デバイスとしての超音波素子２１が取得した、異なる時刻での心臓の内壁面の情報（内壁面情報）の入力を、受け付ける（ステップＳ１０１）。詳細には、超音波素子２１は、駆動部５０によって、カテーテル４０の周方向に沿って所定の回転速度（例えば１８００ｒｐｍ）で回転し、かつ、カテーテル４０の延在方向に沿って所定速度（例えば０．５ｍｍ／秒）で移動しながら、心臓の内壁面の複数の位置での内壁面情報を所定の時間間隔（例えば１／３０秒）で取得する。超音波素子２１は、カテーテル４０の延在方向に沿って、一方向にのみ移動してもよいし、繰り返し往復移動してもよい。
【００４４】
画像処理装置１は、拍動入力部６０を介して、拍動計測デバイス１６０が計測する被検者の心臓の拍動周期の入力を、受け付ける（ステップＳ１０２）。詳細には、拍動計測デバイス１６０を動脈パルス測定器で構成する場合、図６（ａ）に示すような動脈パルスの強度の時間変化を示すデータが得られる。動脈パルスの強度は、周期的にピークとなる波形を有し、動脈パルスの強度がピークとなるとき、心臓が拍動に伴って最も収縮又は拡張している。この動脈パルスの強度の時間変化の周期性に基づいて、心臓の拍動周期１０１を計測することができる。また、拍動計測デバイス１６０を心電計で構成する場合、図６（ｂ）に示すような心臓の電気的な活動に起因する電位の強度の時間変化を示すデータが得られる。電位の強度は、周期的にピークとなる波形を有し、例えば電位の強度がＲ波のピークとなるとき、心臓が収縮するための電気信号が発生している。この電位の強度の時間変化の周期性に基づいて、心臓の拍動周期１０１を計測することができる。図６（ａ）及び図６（ｂ）に示すように、心臓の拍動周期１０１は、心臓が拍動に伴って収縮及び拡張を繰り返す、繰り返し単位１つ分の時間である。画像処理装置１は、制御部５４を用いて、ステップＳ１０１の処理で所定の時間間隔で入力された複数の内壁面情報から、心臓の内壁面の変動具合、例えば内壁面の位置の時刻歴の中に現れる周期的な特徴等を抽出し、その変動具合から心臓の収縮及び拡張のピークを取得することで、心臓の拍動周期を推定してもよい。この場合、拍動入力部６０は、制御部５４の一機能として構成される。
【００４５】
画像処理装置１は、ステップＳ１０２の処理と並行して、呼吸入力部７０を介して、呼吸計測デバイス１７０が計測する被検者の呼吸周期の入力を、受け付ける（ステップＳ１０３）。呼吸計測デバイス１７０は、例えば、拍動計測デバイス１６０と共通の心電計又は動脈パルス測定器で構成することができる。呼吸計測デバイス１７０は、被検者の呼吸周期を直接計測可能な計測器で構成してもよい。詳細には、呼吸計測デバイス１７０を動脈パルス測定器で構成する場合、図６（ａ）に示す動脈パルスの強度の時間変化のグラフを時間軸に沿って圧縮することで、図７に示すグラフが得られる。また、呼吸計測デバイス１７０を心電計で構成する場合、図６（ｂ）に示す電位の強度の時間変化のグラフのうち各波形で最も高いピークを示すＲ波について時間軸に沿って圧縮することで、図７に示すグラフと同様のグラフが得られる。図７に示すように、動脈パルスの強度のピーク又は電位の強度のピークは、長期的には周期的に増減を繰り返す。この増減の周期は、被検者の呼吸周期１０２と一致することが知られている。従って、動脈パルスの強度のピーク又は電位の強度のピークの増減の周期を計測することで、被検者の呼吸周期１０２を計測することができる。画像処理装置１は、制御部５４を用いて、ステップＳ１０１の処理で所定の時間間隔で入力された複数の内壁面情報から、心臓の内壁面の変動具合、例えば内壁面の位置の時刻歴の中に現れる周期的な特徴等を抽出し、その変動具合から心臓の収縮及び拡張のピークを取得し、このピークの長期的な増減を抽出することで、被検者の呼吸周期を推定することができる。この場合、呼吸入力部７０は、制御部５４の一機能として構成される。
【００４６】
画像処理装置１は、制御部５４を用いて、拍動周期１０１（図６参照）に含まれる所定拍動位相範囲と、呼吸周期１０２（図７参照）に含まれる所定呼吸位相範囲と、が重なるタイミングで入力された内壁面情報を、選択情報として選択する（ステップＳ１０４）。所定拍動位相範囲は、拍動の各周期における所定の位相を含む所定の時間範囲である。換言すれば、所定拍動位相範囲では、心臓の拍動に基づく拡張・収縮状態が各周期に亘って同じ状態であり、心臓の拍動が心臓の大きさや形等に与える影響が各周期に亘って近い状態である。また、所定呼吸位相範囲は、呼吸の各周期における所定の位相を含む所定の時間範囲である。換言すれば、所定呼吸位相範囲では、被検者の呼吸が各周期に亘って同じ状態であり、呼吸が心臓の大きさや形等に与える影響が各周期に亘って近い状態である。従って、所定拍動位相範囲と所定呼吸位相範囲とが重なるタイミングで取得された内壁面情報を選択することで、拍動及び呼吸によって心臓の大きさや形等に与えられる影響が均一化された内壁面情報を得ることができる。本例では、図６（ａ）に示すように、所定拍動位相範囲１０３は、拍動周期１０１のピーク１０５を含む。図７に示すように、所定呼吸位相範囲１０４は、呼吸周期１０２のピーク１０６を含む。例えば図７に示したグラフのピーク１０７は、拍動周期のピーク１０５と呼吸周期のピーク１０６とが同時となるタイミングを示す。つまり、拍動周期に含まれる所定拍動位相範囲と、呼吸周期に含まれる所定呼吸位相範囲と、が重なるタイミングの一例として、拍動周期のピーク１０５と呼吸周期のピーク１０６とが同時となるピーク１０７のタイミングを採用することができる。図１５は、拍動周期に含まれる所定拍動位相範囲と、呼吸周期に含まれる所定呼吸位相範囲と、が重なるタイミングの一例としてのピーク１０７のタイミングを模式的に示している。
【００４７】
ステップＳ１０４の処理を、図８〜図１１を参照して詳細に説明する。図８は、周囲情報取得デバイスとしての超音波素子２１を用いて得られる心臓位置情報の分布を示す図である。図８において、横軸Ｚは超音波素子２１がカテーテル４０の延在方向に沿って移動する距離を示し、縦軸Ｘは超音波素子２１により計測される内壁面情報としての超音波素子２１から心臓の内壁面までの距離を示し、これらは図９〜図１１においても同様である。図９は、内壁面情報から選択情報を選択する様子を示す図である。図１０は、選択情報の分布を示す図である。
【００４８】
図８に示すように、ステップＳ１０１の処理において、画像処理装置１が、情報入力部７６を介して、超音波素子２１から入力される内壁面情報は、横軸Ｚが微小変化する間に縦軸Ｘに沿って変化するばらつきが大きい。これは、超音波素子２１が延在方向に沿って移動する間に、心臓の拍動や呼吸によって心臓の大きさや形が変化することに起因すると考えられる。
【００４９】
図８は、図７に示したグラフのピークに対応する波形を破線で重畳表示している。図８の横軸Ｚは、超音波素子２１がカテーテル４０の延在方向に沿って移動する距離であるが、超音波素子２１は一定速度で移動するため、図７の横軸である時間軸と一致させることができる。図９は、この破線で示した波形の下端のピークの時刻を、縦軸Ｘに沿った直線で示す。この波形の下端のピークの時刻は、上記の通り拍動周期のピークと呼吸周期のピークとが同時となるタイミングである。この波形の下端のピークの時刻で入力された内壁面情報を選択情報として選択すると、図１０のように示される。図１０に示すように、選択情報を、拍動周期のピークと呼吸周期のピークとが同時となるタイミングで選択することで、内壁面情報の縦軸Ｘに沿うばらつきが低減される。
【００５０】
画像処理装置１は、上記ステップＳ１０１及びＳ１０４の処理に代えて、拍動周期の第１位相と呼吸周期の第２位相とが同時となるタイミングでのみ、内壁面情報の入力を受け付けてもよい。換言すれば、画像処理装置１は、拍動周期の第１位相と呼吸周期の第２位相とが同時となるタイミングを推測し、当該タイミングに合わせて超音波素子２１から入力される内壁面情報の入力のみを、受け付けてもよい。この場合、画像処理装置１は、超音波素子２１から、図１０に示す内壁面情報が直接入力される。
【００５１】
画像処理装置１は、制御部５４を用いて、内壁面情報の補完処理を行う（ステップＳ１０５）。補完処理は、例えばディープラーニングなどの機械学習的な手法や、３次元スプライン曲線（3Dspline curve）等、離散データから欠損情報を補完し、滑らかな曲線を描く手法を用いることができる。図１１は、図１０に示した内壁面情報の離散データに対して補完処理を行った分布を示す図である。
【００５２】
画像処理装置１は、補完処理を行う際、拍動周期の第１位相と呼吸周期の第２位相とが同時となるタイミングの内壁面情報のみを選択し、当該選択された内壁面情報に基づいて、２次元画像を構築してもよい。さらに、画像処理装置１は、構築した２次元画像から、心臓の位置又は領域や、心臓に挿入されている医療器具などの位置又は領域を、取得してもよい。他方、選択していない領域のデータは欠損データとなるが、その欠損データは、制御部５４を用いて、心臓の位置及び領域の情報の補完処理を行うことで補間する（ステップＳ１０５）。補完処理は、例えばディープラーニングなどの機械学習的な手法や３次元スプライン曲線（3Dspline curve）等、離散データから欠損情報を補完し、滑らかな曲線を描く手法を用いることができる。
【００５３】
画像処理装置１は、制御部５４を用いて、補完処理された内壁面情報に基づいて、心臓の２次元画像を生成し、当該２次元画像に基づいて、３次元画像を生成し（ステップＳ１０６）、処理を終了する。画像処理装置１は、ステップＳ１０１の処理で入力された内壁面情報に基づいて、先に２次元画像や当該２次元画像に基づく３次元画像を生成し、その後、ステップＳ１０４及びステップＳ１０５の処理を経て補完された２次元画像を生成し、当該補完された２次元画像に基づいて３次元画像を生成してもよい。
【００５４】
上記のように、画像処理装置１は、周囲情報取得デバイスとしての超音波素子２１によって取得され、情報入力部７６に入力された内壁面情報のうち、拍動周期に含まれる所定拍動位相範囲と、呼吸周期に含まれる所定呼吸位相範囲と、が重なるタイミングで入力された内壁面情報を、選択情報として選択する。したがって、選択情報に基づいて心臓のマッピングを行うことで、心臓の大きさや形の経時的な変化を加味した心臓のマッピングの精度を向上させることができる。
【００５５】
［心臓の３次元画像の生成方法の変形例］
図１２は、心臓の３次元画像の生成方法の変形例を示すフローチャートである。図１２に示すように、画像処理装置１は、情報入力部７６を介して、周囲情報取得デバイスとしての超音波素子２１が取得した、心臓の内壁面の情報（内壁面情報）を取得する（ステップＳ２０１）。
【００５６】
画像処理装置１は、拍動入力部６０を介して、拍動計測デバイス１６０が計測する被検者の心臓の拍動周期の入力を、受け付ける（ステップＳ２０２）。詳細には、画像処理装置１は、被検者の心臓の拍動周期の入力を、図５に示すステップＳ１０２の処理と同様の手法で、受け付けることができる。
【００５７】
画像処理装置１は、ステップＳ２０２の処理と並行して、呼吸入力部７０を介して、呼吸計測デバイス１７０が計測する被検者の呼吸周期の入力を、受け付ける（ステップＳ２０３）。詳細には、画像処理装置１は、被検者の呼吸周期の入力を、図５に示すステップＳ１０３の処理と同様の手法で、受け付けることができる。
【００５８】
画像処理装置１は、制御部５４を用いて、ステップＳ２０１の処理で入力された内壁面情報を、当該内壁面情報が入力された時点での拍動位相範囲と呼吸位相範囲との組み合わせのグループに分類する（ステップＳ２０４）。画像処理装置１は、内壁面情報のグループへの分類を、例えば、内壁面情報にグループごとの識別番号を関連付けて、記憶部５３に記憶させることで行う。ここで、拍動位相範囲は、拍動の各周期における所定の位相を含む所定の時間範囲であり、拍動の各周期に複数の拍動位相範囲が含まれる。上記した所定拍動位相範囲は、複数の拍動位相範囲の１つである。また、呼吸位相範囲は、呼吸の各周期における所定の位相を含む所定の時間範囲であり、呼吸の各周期に複数の呼吸位相範囲が含まれる。上記した所定呼吸位相範囲は、複数の呼吸位相範囲の１つである。
【００５９】
拍動位相範囲及び呼吸位相範囲の詳細について、図１３及び図１４を参照して説明する。図１３は、図６（ａ）に示した動脈パルスの強度の時間変化を示すグラフを用いて、拍動位相範囲を説明する図である。図１４は、図７に示したグラフを用いて、呼吸位相範囲を説明する図である。図１３に示すように、拍動位相範囲は、例えば、収縮のピークＰ１を含む収縮期Ｔ１、拡張のピークＰ２を含む拡張期Ｔ２、拡張期Ｔ２の後であって次の収縮期Ｔ１の前である中間期Ｔ３、とすることができる。図１４に示すように、呼吸位相範囲は、例えば、呼気のピークＰ４を含む呼気期Ｔ４、吸気のピークＰ５を含む吸気期Ｔ５、とすることができる。この場合、拍動の各周期における複数の拍動位相範囲は３つ（Ｔ１、Ｔ２及びＴ３）であり、呼吸の各周期における複数の呼吸位相範囲は２つ（Ｐ４及びＰ５）であるため、拍動位相範囲と呼吸位相範囲との組み合わせは６通りとなる。この組み合わせは、少なくとも、心臓が最も拡張した最大拡張期、又は心臓が最も収縮した最小収縮期を含む。最大拡張期は、例えば、拍動位相範囲が拡張期Ｔ２であり、かつ、呼吸位相範囲が吸気期Ｔ５の場合である。最小収縮期は、例えば、拍動位相範囲が収縮期Ｔ１であり、かつ、呼吸位相範囲が呼気期Ｔ４の場合である。図１３では、複数の拍動位相範囲が、互いに時間間隔を空けて設定された例を示しているが、時間間隔を空けずに全ての時点がいずれかの拍動位相範囲に含まれるように設定してもよい。複数の拍動位相範囲が互いに時間間隔を空けて設定されている場合、内壁面情報が入力された時点がいずれの拍動位相範囲にも該当しない場合、ステップＳ２０１の処理に戻ってもよいし、時間軸で最も近い拍動位相範囲に該当すると判定してもよい。また、図１４では、複数の呼吸位相範囲が、互いに時間間隔を空けずに設定された例を示しているが、時間間隔を空けるように設定してもよい。複数の呼吸位相範囲が互いに時間間隔を空けて設定されている場合、内壁面情報が入力された時点がいずれの呼吸位相範囲にも該当しない場合、ステップＳ２０１の処理に戻ってもよいし、時間軸で最も近い呼吸位相範囲に該当すると判定してもよい。
【００６０】
画像処理装置１は、制御部５４を用いて、表示モードが経時変化追従モードに設定されているか否かを判定する（ステップＳ２０５）。ここで、表示モードは、経時変化追従モードと、固定モードとを含み、いずれかの表示モードが、例えば操作受付部５２が受け付けた入力情報に基づいて予め設定され、記憶部５３に記憶される。経時変化追従モードは、表示部５１に表示させる画像を、新たに取得された内壁面情報が分類されたグループに属する内壁面情報に基づいて生成される３次元画像に随時切り替えて表示するモードである。経時変化追従モードとすれば、心臓の大きさや形状等の経時的な変化をモニタリングすることができる。固定モードは、表示部５１に表示させる画像を、予め選択されたグループ（以下、適宜「選択グループ」と称する。）に属する内壁面情報に基づいて生成される３次元画像に固定するモードである。固定モードとすれば、例えば拍動により拡張状態となった心臓など、所定状態の心臓を常時表示することができる。画像処理装置１は、表示モードが経時変化追従モードに設定されていると判定する場合（ステップＳ２０５のＹｅｓ）、ステップＳ２０６の処理に進む。
【００６１】
画像処理装置１は、制御部５４を用いて、新たに入力された内壁面情報が分類されたグループに属する複数の内壁面情報に基づいて、２次元画像を生成し、当該２次元画像に基づいて、３次元画像を生成する（ステップＳ２０６）。詳細には、当該グループに属する複数の内壁面情報のうち、新たに入力された内壁面情報以外の内壁面情報に基づいて既に生成された３次元画像が記憶部５３に記憶されていた場合、画像処理装置１は、生成済みの３次元画像を読み出し、新たに入力された内壁面情報を追加して得られる新たな３次元画像を生成する。画像処理装置１は、本ステップで３次元画像を生成する際、図５に示したステップＳ１０６の処理と同様に、補完処理を行ってもよい。
【００６２】
画像処理装置１は、ステップＳ２０６の処理の後、制御部５４を用いて、表示部５１に、新たに生成した３次元画像に順次切り替えて表示させる（ステップＳ２０７）。このとき、画像処理装置１は、新たに生成した３次元画像を、新たに入力された内壁面情報が分類されたグループの３次元画像として、記憶部５３に記憶してもよい。画像処理装置１は、ステップＳ２０７の処理の後、ステップＳ２１１の処理に進む。
【００６３】
一方、画像処理装置１は、ステップＳ２０５の判定処理において、表示モードが経時変化追従モードに設定されていない、すなわち固定モードに設定されていると判定する場合（ステップＳ２０５のＮｏ）、ステップＳ２０８の処理に進む。
【００６４】
画像処理装置１は、制御部５４を用いて、新たに入力された内壁面情報が分類されたグループが、選択グループであるか否かを判定する（ステップＳ２０８）。ここで、選択グループは、拍動位相範囲と呼吸位相範囲との組み合わせのグループのうち、選択されたいずれかのグループを意味する。選択グループは、例えば操作受付部５２が受け付けた入力情報に基づいて予め設定され、記憶部５３に記憶される。画像処理装置１は、新たに入力された内壁面情報が分類されたグループが、選択グループであると判定する場合（ステップＳ２０８のＹｅｓ）、ステップＳ２０９の処理に進む。一方、画像処理装置１は、新たに入力された内壁面情報が分類されたグループが、選択グループではないと判定する場合（ステップＳ２０８のＮｏ）、ステップＳ２１１の処理に進む。
【００６５】
画像処理装置１は、ステップＳ２０９の処理において、制御部５４を用いて、選択グループに属する複数の内壁面情報に基づいて、２次元画像を生成し、当該２次元画像に基づいて、３次元画像を生成する（ステップＳ２０９）。詳細には、選択グループに属する複数の内壁面情報のうち、新たに入力された内壁面情報以外の内壁面情報に基づいて既に生成された３次元画像を、記憶部５３から読み出し、新たに入力された内壁面情報を追加して得られる新たな３次元画像を生成する。画像処理装置１は、本ステップで３次元画像を生成する際、図５に示したステップＳ１０６の処理と同様に、補完処理を行ってもよい。
【００６６】
画像処理装置１は、ステップＳ２０９の処理の後、制御部５４を用いて、表示部５１に、新たに生成した３次元画像を更新表示させる（ステップＳ２１０）。詳細には、表示モードが固定モードである場合、表示部５１には選択グループに属する複数の内壁面情報に基づいて生成された３次元画像が表示されているため、画像処理装置１は、表示中の３次元画像に代えて、新たに入力された内壁面情報を追加して生成される新たな３次元画像を更新表示する。画像処理装置１は、ステップＳ２１０の処理の後、ステップＳ２１１の処理に進む。
【００６７】
画像処理装置１は、ステップＳ２１１の処理において、終了操作が入力されたか否かを判定する（ステップＳ２１１）。終了操作は、例えば操作受付部５２が受け付けた入力情報によって入力される。画像処理装置１は、終了操作が入力されていないと判定する場合（ステップＳ２１１のＮｏ）、ステップＳ２０１の処理に戻る。一方、画像処理装置１は、終了操作が入力されたと判定する場合（ステップＳ２１１のＹｅｓ）、処理を終了する。
【００６８】
ところで、図１２に示したステップＳ２０５の処理において、予め設定された表示モードに基づいて、経時変化追従モード又は固定モードに設定するとして説明したが、上記構成には限定されない。例えば、入力された内壁面情報の数が、所定数以下である場合には固定モードとし、所定数を超えると経時変化追従モードとしてもよい。経時的な変化をモニタリングしたい場合、経時変化追従モードの方が固定モードよりも好ましいが、処理負担はより大きくなる。入力された内壁面情報の数が少ないうちは、モニタリングできる情報が少ないため、経時変化追従モードに設定する利点は少ないが、入力された内壁面情報の数が増えるにつれて、経時変化追従モードに設定する利点は大きくなる。したがって、上記構成とすることで、処理負担の軽減と、経時的な変化のモニタリングとのバランスを取った処理を実行することができる。
【００６９】
上記のように、画像処理装置１は、周囲情報取得デバイスとしての超音波素子２１から入力された複数の内壁面情報のうち、拍動位相範囲と、呼吸位相範囲と、が重なるタイミングで入力された内壁面情報を、当該内壁面情報が入力された時点での拍動位相範囲と呼吸位相範囲との組み合わせのグループに分類する。したがって、グループごとに分類された内壁面情報に基づいて心臓のマッピングを行うことで、心臓の大きさや形の経時的な変化を加味した心臓のマッピングの精度を向上させることができる。
【００７０】
また、上記のように、画像処理装置１は、超音波検査器２０等の周囲情報取得デバイスから内壁面情報が入力されるたびに、当該内壁面情報が分類されたグループに属する複数の内壁面情報に基づいて心臓の３次元画像を生成し、当該３次元画像を表示部５１に順次切り替えて表示させる。したがって、画像処理装置１は、最新の内壁面情報に基づいて生成される３次元画像をリアルタイムに変化させながら表示することができる。
【００７１】
また、上記のように、画像処理装置１は、選択グループに属する内壁面情報が超音波検査器２０等の周囲情報取得デバイスから入力されるたびに、選択グループに属する複数の内壁面情報に基づいて心臓の３次元画像を生成し、当該３次元画像を表示部５１に更新表示させる。したがって、画像処理装置１は、特定のグループに属する内壁面情報のみに基づいて３次元画像を生成するので、心臓の動きの影響を受けない３次元画像を表示することができ、また、各グループに属する内壁面情報に基づいて３次元画像を順次生成するよりも、処理負担を軽減することができる。
【００７２】
本発明は、上述した各実施形態で特定された構成に限定されず、請求の範囲に記載した発明の要旨を逸脱しない範囲内で種々の変形が可能である。例えば、各構成部、各ステップなどに含まれる機能などは論理的に矛盾しないように再配置可能であり、複数の構成部又はステップなどを１つに組み合わせたり、或いは分割したりすることが可能である。
【００７３】
上記実施形態では、周囲情報取得デバイスとして、超音波検査器２０の超音波素子２１を用いるとして説明したが、このような構成には限定されない。例えば、超音波検査器２０に替えて、周囲情報取得デバイスとしての撮像素子を備える装置を用いてもよい。撮像素子を用いる装置としては、光干渉断層診断装置、光学周波数領域画像化診断装置、又は、内視鏡等が挙げられる。光干渉断層診断装置又は光学周波数領域画像化診断装置を用いる場合、撮像素子としては、心臓の内壁面に向けて光を出射し、その反射光を検出するイメージングコアユニットを用いることができる。内視鏡を用いる場合、撮像素子としては、被写体からの光を受光して、当該光の強度に応じた電気信号に変換する、ＣＣＤセンサやＣＭＯＳセンサ等の受光素子を用いることができる。
【産業上の利用可能性】
【００７４】
本開示は、情報選択装置に関する。
【符号の説明】
【００７５】
１：画像処理装置（情報選択装置）
２：医療デバイス
１０：ガイドワイヤ
１１：直線状部
１２：環状拡張部
１３：環状拡張部の遠位端
２０：超音波検査器
２１：超音波素子（周囲情報取得デバイス）
２２：シャフト
２３：チューブ
３０、３０ａ〜３０ｊ：電極
４０：カテーテル（筒状部材）
４１：第１ルーメン
４２：第２ルーメン
４５：先端部
４６：開口
５０：駆動部
５１：表示部
５２：操作受付部
５３：記憶部
５４：制御部
６０：拍動入力部
７０：呼吸入力部
７６：情報入力部
１０１：拍動周期
１０２：呼吸周期
１０３：所定拍動位相範囲
１０４：所定呼吸位相範囲
１０５：拍動周期のピーク
１０６：呼吸周期のピーク
１６０：拍動計測デバイス
１７０：呼吸計測デバイス
Ａ：ガイドワイヤの径方向
Ｂ：ガイドワイヤの周方向
Ｏ：超音波検査器の中心軸
Ｐ１：収縮のピーク
Ｐ２：拡張のピーク
Ｐ４：呼気のピーク
Ｐ５：吸気のピーク
Ｔ１：収縮期（拍動位相範囲）
Ｔ２：拡張期（拍動位相範囲）
Ｔ３：中間期（拍動位相範囲）
Ｔ４：呼気期（呼吸位相範囲）
Ｔ５：吸気期（呼吸位相範囲）
【図１】
2019189519.tif 000003
【図２】
2019189519.tif 000004
【図３】
2019189519.tif 000005
【図４】
2019189519.tif 000006
【図５】
2019189519.tif 000007
【図６】
2019189519.tif 000008
【図７】
2019189519.tif 000009
【図８】
2019189519.tif 000010
【図９】
2019189519.tif 000011
【図１０】
2019189519.tif 000012
【図１１】
2019189519.tif 000013
【図１２】
2019189519.tif 000014
【図１３】
2019189519.tif 000015
【図１４】
2019189519.tif 000016
【図１５】
2019189519.tif 000017
【国際調査報告】
2019189519.tif 000018
2019189519.tif 000019